(57)【要約】【課題】ハウジングに板状部材収容部が設けられるとともに複数のコンタクトが配されて成るコネクタ装置であって、板状部材収容部に差し込まれた配線板状部材に不所望な外力が作用したときにおいてもコンタクトの変形等の不都合を回避できるものを提供する。【解決手段】ハウジング（１２）における相互対向する第１及び第２の平板状部（１３；１４）の間における板状部材収容部（１５）に開口部分（１５ａ）を通じて差し込まれたフレキシブル印刷配線基板を挟む一対の突出片部（３２，３３）を有して、複数のコンタクトのうちの隣り合う二つの間に配された保護部材（３０）が設けられ、保護部材（３０）の突出片部（３３）がハウジング（１２）の第２の平板状部（１４）に近接して配されて、突出片部（３３）の自由端面部分（３３a ）が、コンタクトのフレキシブル印刷配線基板との接触部（２３ｃ）側の端部より開口部分（１５ａ）の外方側に突出している。【選択図】  図６
2018022601.tif 000002
【特許請求の範囲】
【請求項１】
相互対向する第１及び第２の平板状部の間に板状部材収容部が設けられ、上記第１及び第２の平板状部の夫々の端面部分が上記板状部材収容部の開口部分を形成し、上記第１の平板状部が配線基板の部品搭載面に当接もしくは近接して配されるものとされたハウジングと、
各々が、上記第１及び第２の平板状部の間における上記第２の平板状部側に配されて、上記開口部分を通じて上記板状部材収容部に差し込まれた配線板状部材における接触端子部に当接する接触部、及び、上記配線基板の部品搭載面に設けられた接続端子部に接続される接続部を有したものとされて、上記ハウジングに配列配置された複数のコンタクトと、
を備え、
上記開口部分を通じて上記板状部材収容部に差し込まれた配線板状部材を該配線板状部材の厚み方向に挟んで相互対向する一対の突出片部を有して、上記複数のコンタクトのうちの該複数のコンタクトの配列方向において隣り合う二つの間に配された保護部材が設けられ、該保護部材における上記一対の突出片部のうちの一方が上記ハウジングの第２の平板状部に近接して配され、該一対の突出片部のうちの一方の自由端面部分が上記複数のコンタクトの夫々における上記接触部側の端部より上記板状部材収容部の開口部分の外方側に突出していることを特徴とするコネクタ装置。
【請求項２】
上記保護部材における上記一対の突出片部のうちの一方の自由端面部分が、上記ハウジングの第２の平板状部の端面部分より上記板状部材収容部の開口部分の外方側に突出していることを特徴とする請求項１記載のコネクタ装置。
【請求項３】
上記保護部材が、上記一対の突出片部を相互連結する部分を成し、上記開口部分を通じて上記板状部材収容部に差し込まれた配線板状部材に設けられた切欠き部に係合する連結係合部を有することを特徴とする請求項１記載のコネクタ装置。
【請求項４】
上記保護部材の上記複数のコンタクトの配列方向における厚み寸法が、上記複数のコンタクトの夫々の上記複数のコンタクトの配列方向における厚み寸法と同じとされることを特徴とする請求項１記載のコネクタ装置。
【請求項５】
上記保護部材の複数個が上記複数のコンタクトの配列方向に沿って配されていることを特徴とする請求項１記載のコネクタ装置。
【発明の詳細な説明】
【技術分野】
【０００１】
本願の特許請求の範囲に記載された発明は、フレキシブル印刷配線基板（ＦＰＣ）や平板状ケーブル（ＦＦＣ）等の配線板状部材に設けられた接触端子部を、ソリッド印刷配線基板等とされる配線基板に電気的に接続された状態とするため、配線板状部材を部分的に収容する板状部材収容部が設けられたハウジングと、ハウジングに配列配置されて配線基板に連結されたもとで板状部材収容部に差し込まれた配線板状部材における接触端子部に押圧接触する複数のコンタクトと、を備えたコネクタ装置に関する。
【背景技術】
【０００２】
各種の電子機器に実装される比較的小型なフレキシブル印刷配線基板や平板状ケーブル等の配線板状部材は、各種の電気部品が搭載される配線基板への取付けが、当該配線基板に電気的接続がなされて固定されたコネクタ装置が用いられて行われることが多いものとされる。このような配線板状部材の配線基板への取付けにあたって用いられるコネクタ装置は、配線基板に設けられた配線部に連結されたもとで配線板状部材に設けられた接触端子部に接触接続される導電性のコンタクトを有していて、そのコンタクトを介して、配線板状部材の接触端子部を配線基板の配線部に電気的に接続する。
【０００３】
従来提案されている、フレキシブル印刷配線基板等とされる配線板状部材の配線基板への取付けに用いられるコネクタ装置にあっては、例えば、配線板状部材を部分的に収容する板状部材収容部が設けられたものとされて配線基板に配される、絶縁材料によって形成されたハウジングと、ハウジングに配列配置されて配線基板に設けられた配線部に連結され、板状部材収容部に差し込まれた配線板状部材に設けられた複数の接触端子部に夫々対応するものとなる複数のコンタクトと、ハウジングに対して回動可能に設けられ、複数のコンタクトの夫々に係合して、回動せしめられるとき複数のコンタクトの夫々の部分を変位させ、それにより複数のコンタクトを複数の接触端子部に夫々押圧接触させるアクチュエータとが備えられる。
【０００４】
斯かるコネクタ装置においては、アクチュエータは、全体が複数のコンタクトの配列方向に沿って伸びる細長形状をとり、カム部と操作部とが設けられていて、カム部において複数のコンタクトの夫々と係合し、操作部が操作されることにより、ハウジングに対して回動せしめられる。また、複数のコンタクトの各々は、導電性の弾性材料をもって形成され、例えば、ハウジングに取り付けられる第１のビーム部と連結部により第１のビーム部に連結されて弾性変位可能とされる第２のビーム部とを有した、全体としてＨ字状を成すものされる。第１のビーム部は、ハウジングが配された配線基板における印刷配線部等の配線部に電気的に接続される接続部が設けられたものとされ、また、第２のビーム部は、板状部材収容部に差し込まれた配線板状部材における接触端子部に押圧接触する接触部が設けられたもとで、アクチュエータのカム部によって弾性変位せしめられる。
【０００５】
そして、配線基板に配されたハウジングにおける板状部材収容部に配線板状部材が差し込まれたもとで、アクチュエータが所定の方向に回動せしめられると、アクチュエータが、複数のコンタクトの夫々における第２のビーム部を弾性変位させて、当該第２のビーム部の接触部に配線板状部材に設けられた複数の接触端子部のうちの対応するものに対する押圧接触状態をとらせる。また、複数のコンタクトの各々における第２のビーム部の接触部が配線板状部材に設けられた複数の接触端子部のうちの対応するものに押圧接触した状態をとるもとで、アクチュエータが上述の所定の方向とは逆の方向に回動せしめられると、アクチュエータが、複数のコンタクトの夫々における第２のビーム部の接触部を、配線板状部材に設けられた複数の接触端子部のうちの対応するものに対する押圧接触状態から解放する。
【０００６】
このような従来提案されているコネクタ装置にあっては、ハウジングが配線基板に配されたもとにおける全体の配線基板からの突出寸法（厚み寸法）の低減（いわゆる低背化）が図られたもとで、配線板状部材のハウジングにおける板状部材収容部への差込みが適正に行われるとともに、その後における第２のビーム部における接触部の配線板状部材に設けられた複数の接触端子部に対する押圧接触が確実に行われる状態が得られることが望まれている。
【０００７】
そのため、上述のような、板状部材収容部が設けられたハウジングと、各々が第１及び第２のビーム部とそれらを連結する連結部とを有するものとされた複数のコンタクトと、ハウジングに対して回動可能とされるアクチュエータとを備えたコネクタ装置であって、複数のコンタクトの夫々を、アクチュエータの回動によりもたらされる第２のビーム部の弾性変位に伴う第２のビーム部における接触部の変位量を増大させるべく構成することによって、低背化が図られたもとで、配線板状部材のハウジングにおける板状部材収容部への差込みが適正に行われ、その後における第２のビーム部における接触部の配線板状部材に設けられた接触端子部に対する押圧接触が確実に行われることになる状態を得ようとしたものが従来提案されている（例えば、特許文献１参照。）。
【０００８】
特許文献１に記載されたコネクタ装置（コネクタ(10)) にあっては、板状部材収容部が設けられて基板に実装されるハウジング(31)が備えられ、そのハウジングに配列配置された複数のコンタクト (第１端子(41)及び第２端子(51)) の夫々が、例えば、金属板に打抜き加工が施されて形成されて、第１のビーム部（下腕部(43; 53)) ，第２のビーム部（上腕部(44; 54)) 及び第１のビーム部と第２のビーム部とを連結する連結部（45; 55) を有した全体としてＨ字状を成すものとされており、第１のビーム部がハウジングに取り付けられ、第２のビーム部が連結部により支えられて変位可能とされている。また、特許文献１に記載されたコネクタ装置には、ハウジングにそれに対して回動可能に取り付けられて複数のコンタクトに係合するアクチュエータ(11)が備えられており、複数のコンタクトの夫々の第２のビーム部が、アクチュエータの回動によって弾性変位せしめられ、その先端部分に設けられた接触部（コンタクト部(44a; 54a)) を変位させて板状部材収容部に差し込まれた配線板状部材（平板状ケーブル(71)) に当接させる。
【０００９】
斯かるもとで、複数のコンタクトの夫々の第１のビーム部は、それにおける連結部との接続点を含む所定範囲とされる接続範囲部(46)及び連結部が、それらの周囲の部分に比して幅狭となるように形成されている。ここで言う、接続範囲部についての「幅狭」とは、接続範囲の第１のビーム部から第２のビーム部に向かう方向の寸法（幅）が小であることを意味し、また、連結部についての「幅狭」とは、連結部の第１のビーム部及び第２のビーム部の夫々が伸びる方向に沿う方向の寸法（幅）が小であることを意味している。
【００１０】
このように、複数のコンタクトの夫々の第１のビーム部における接続範囲部及び連結部がそれらの周囲の部分に比して幅狭となるように形成されていることにより、接続範囲部及び連結部はそれらの周囲の部分より剛性が低い部分とされ、それゆえ、第２のビーム部がアクチュエータの回動によって弾性変位せしめられる際に、接続範囲部及び連結部が弾性的に変形するばね部材として機能し、アクチュエータの回動によりもたらされる第２のビーム部の弾性変位に伴う第２のビーム部における接触部の変位量を増大させることになる。
【００１１】
その結果、ハウジングに配列配置された複数のコンタクトの夫々における第１のビーム部と第２のビーム部との間隔が比較的小とされ、それによりコネクタ装置の低背化が図られたもとにおいても、配線板状部材のハウジングにおける板状部材収容部への差込みが第２のビーム部における接触部に妨げられることなく適正に行われるとともに、その後における第２のビーム部における接触部の配線板状部材に設けられた複数の接触端子部に対する押圧接触状態が確実に行われる状態を実現し得ることが期待される。
【先行技術文献】
【特許文献】
【００１２】
【特許文献１】特開２００７−２６５８５１号公報
【発明の概要】
【発明が解決しようとする課題】
【００１３】
上述のように、ハウジングに配列配置された複数のコンタクトの夫々の第１のビーム部における接続範囲部及び連結部が、それらの周囲の部分に比して幅狭となるように形成されて成る従来のコネクタ装置にあっては、配線板状部材がハウジングに設けられた板状部材収容部に差し込まれるにあたり、板状部材収容部への差込み途中にある配線板状部材、あるいは、板状部材収容部に差し込まれて板状部材収容部に部分的に収容された配線板状部材におけるハウジング外に配された部分に、当該部分をハウジングが実装された基板から遠ざかる方向に変位させようとする外力が作用すると、配線板状部材におけるハウジング外に配された部分が、ハウジングが実装された基板から遠ざかる方向への反りあるいは折れ曲がりを生じる事態がもたらされる。そして、斯かる反りあるいは折れ曲がりを生じた配線板状部材におけるハウジング外に配された部分は、複数のコンタクトの夫々の第２のビーム部における接触部が設けられた先端部分に当接して、当該先端部に第１のビーム部から第２のビーム部に向かう方向の押圧力を作用させる。
【００１４】
このようにして、第２のビーム部の先端部に配線板状部材におけるハウジング外に配された部分からの第１のビーム部から第２のビーム部に向かう方向の押圧力が加えられるコンタクトは、当該押圧力に起因する不所望な変形を生じることになる。その際、コンタクトにあっては、その第１のビーム部における接続範囲部及び連結部がそれらの周囲の部分に比して幅狭となるように形成されて剛性が低下せしめられたものとされていることにより、第２のビーム部の先端部に加えられる押圧力に起因する不所望な変形が、コンタクトに弾性変形の域を超えた塑性変形をもたらすことになる虞がある。そして、コンタクトが斯かる不所望な変形を生じると、複数のコンタクトの夫々の第２のビーム部に設けられた接触部が板状部材収容部に差し込まれた配線板状部材に当接する状態が、適正に得られなくなってしまうという不都合が生じる。
【００１５】
斯かる点に鑑み、本願の特許請求の範囲に記載された発明は、例えば、フレキシブル印刷配線基板等とされる配線板状部材の配線基板への取付けに用いられる、板状部材収容部が設けられて配線基板に固定されるハウジングと、ハウジングに配列配置されて設けられ、各々が板状部材収容部に差し込まれた配線板状部材における接触端子部に当接する接触部と配線基板に設けられた接続端子部に接続される接続部とを有したものとされる複数のコンタクトとを備えたコネクタ装置であって、配線板状部材のハウジングにおける板状部材収容部への差込みが適正に行われるとともに、複数のコンタクトの夫々における接触部の配線板状部材に設けられた接触端子部に対する押圧接触が確実に行われ、しかも、ハウジングに設けられ板状部材収容部への差込み途中にある配線板状部材、あるいは、板状部材収容部に差し込まれて板状部材収容部に部分的に収容された配線板状部材におけるハウジング外に配された部分に、当該部分をハウジングが配された配線基板から遠ざかる方向に変位させようとする外力が作用したときにおいても、配線板状部材におけるハウジング外に配された部分が複数のコンタクトの夫々に押圧力を作用させてコンタクトが斯かる押圧力に起因する不所望な変形を生じることになる事態を確実に回避することができるものを提供する。
【課題を解決するための手段】
【００１６】
本願の特許請求の範囲における請求項１から請求項５までのいずれかに記載された発明（以下、本願発明という。）に係るコネクタ装置は、相互対向する第１及び第２の平板状部の間に板状部材収容部が設けられ、第１及び第２の平板状部の夫々の端面部分が板状部材収容部の開口部分を形成し、第１の平板状部が配線基板の部品搭載面に当接もしくは近接して配されるものとされたハウジングと、各々が、第１及び第２の平板状部の間における第２の平板状部側に配されて、開口部分を通じて板状部材収容部に差し込まれた配線板状部材における接触端子部に当接する接触部及び配線基板の部品搭載面に設けられた接続端子部に接続される接続部を有したものとされて、ハウジングに配列配置された複数のコンタクトとを備えて構成されるもとで、開口部分を通じて板状部材収容部に差し込まれた配線板状部材をその厚み方向に挟んで相互対向する一対の突出片部を有して、複数のコンタクトのうちの複数のコンタクトの配列方向において隣り合う二つの間に配された保護部材が設けられ、その保護部材における一対の突出片部のうちの一方がハウジングの第２の平板状部に近接して配され、一対の突出片部のうちの一方の自由端面部分が複数のコンタクトの夫々における接触部側の端部より板状部材収容部の開口部分の外方側に突出していることを特徴とするものとされる。
【００１７】
上述のように構成される本願発明に係るコネクタ装置は、実際に使用される際には、ハウジングが、その第１の平板状部を配線基板の部品搭載面に当接もしくは近接させた状態をもって配線基板に配されたものとされる。そして、本願発明に係るコネクタ装置にあっては、ハウジングに配列配置された複数のコンタクトのうちの複数のコンタクトの配列方向において隣り合う二つの間に配された保護部材が設けられる。保護部材は、開口部分を通じて板状部材収容部に差し込まれた配線板状部材をその厚み方向に挟んで相互対向する一対の突出片部を有しており、斯かる一対の突出片部のうちの一方がハウジングの第２の平板状部に近接して配され、一対の突出片部のうちの一方の自由端面部分が複数のコンタクトの夫々における接触部側の端部より板状部材収容部の開口部分の外方側に突出しているものとされる。
【００１８】
また、保護部材は、例えば、それにおける一対の突出片部のうちの一方の自由端面部分が、ハウジングの第２の平板状部の端面部分より板状部材収容部の開口部分の外方側に突出しているもの、それにおける一対の突出片部を相互連結する部分を成し、開口部分を通じて板状部材収容部に差し込まれた配線板状部材に設けられた切欠き部に係合する連結係合部を有したもの、あるいは、複数のコンタクトの配列方向における厚み寸法が、複数のコンタクトの夫々の複数のコンタクトの配列方向における厚み寸法と同じであるものとされる。
【００１９】
さらに、保護部材は、例えば、その複数個が複数のコンタクトの配列方向に沿って配されているものとされる。
【発明の効果】
【００２０】
本願発明に係るコネクタ装置においては、上述のように、ハウジングに配列配置された複数のコンタクトのうちの複数のコンタクトの配列方向において隣り合う二つの間に配された保護部材が、開口部分を通じて板状部材収容部に差し込まれた配線板状部材をその厚み方向に挟んで相互対向する一対の突出片部を有しており、斯かる一対の突出片部のうちの一方がハウジングの第２の平板状部に近接して配され、その自由端面部分が複数のコンタクトの夫々における接触部側の端部より板状部材収容部の開口部分の外方側に突出しているものとされているので、ハウジングに設けられた板状部材収容部への差込み途中にある配線板状部材、あるいは、板状部材収容部に差し込まれて板状部材収容部に部分的に収容された配線板状部材におけるハウジング外に配された部分に、当該部分をハウジングが実装された基板から遠ざかる方向に変位させようとする外力が作用し、配線板状部材におけるハウジング外に配された部分に、ハウジングが実装された基板から遠ざかる方向への反りあるいは折れ曲がりを生じる事態がもたらされたとしても、斯かる反りあるいは折れ曲がりを生じた配線板状部材におけるハウジング外に配された部分は、複数のコンタクトの夫々における接触部側の端部より板状部材収容部の開口部分の外方側に突出している、保護部材における一対の突出片部のうちの一方の自由端面部分に当接して、保護部材における一対の突出片部のうちの一方に押圧力を作用させるが、複数のコンタクトの夫々における接触部が設けられた先端部分に当接することはない。その結果、反りあるいは折れ曲がりを生じた配線板状部材におけるハウジング外に配された部分が、複数のコンタクトの夫々における接触部が設けられた先端部分に当接してそれに押圧力を及ぼし、当該コンタクトに不所望な変形を生じさせる事態は生じない。
【００２１】
従って、本願発明に係るコネクタ装置によれば、配線板状部材のハウジングにおける板状部材収容部への差込みが適正に行われるとともに、複数のコンタクトの夫々における接触部の配線板状部材に設けられた接触端子部に対する当接が確実に行われる状態を得ることができ、しかも、ハウジングに設けられ板状部材収容部への差込み途中にある配線板状部材、あるいは、板状部材収容部に差し込まれて板状部材収容部に部分的に収容された配線板状部材におけるハウジング外に配された部分に、当該部分をハウジングが配された配線基板から遠ざかる方向に変位させようとする外力が作用したときにおいても、配線板状部材におけるハウジング外に配された部分が複数のコンタクトの夫々に押圧力を作用させてコンタクトが斯かる押圧力に起因する不所望な変形を生じ、それにより複数のコンタクトの夫々に設けられた接触部が板状部材収容部に差し込まれた配線板状部材に当接する状態が適正に得られなくなってしまう事態を確実に回避することができることになる。
【図面の簡単な説明】
【００２２】
【図１】本願発明に係るコネクタ装置の一例を、それが取り付けられた配線基板と共に示す斜視図である。
【図２】本願発明に係るコネクタ装置の一例を示す平面図である。
【図３】本願発明に係るコネクタ装置の一例を示す正面図である。
【図４】本願発明に係るコネクタ装置の一例における第１のコンタクトの断面を含んだ断面図である。
【図５】本願発明に係るコネクタ装置の一例における第２のコンタクトの断面を含んだ断面図である。
【図６】本願発明に係るコネクタ装置の一例における保護部材の断面を含んだ断面図である。
【図７】本願発明に係るコネクタ装置の一例に備えられる保護部材の説明に供される斜視図である。
【図８】本願発明に係るコネクタ装置の一例に備えられる保護部材の説明に供される側面図である。
【図９】本願発明に係るコネクタ装置の一例を、それが取り付けられた配線基板及びそれに装着されるフレキシブル印刷配線基板と共に示す斜視図である。
【図１０】本願発明に係るコネクタ装置の一例を、それに装着されるフレキシブル印刷配線基板と共に示す平面図である。
【図１１】本願発明に係るコネクタ装置の一例にフレキシブル印刷配線基板が装着されて、アクチュエータが第２の静止位置をとるものとされた状態を示す平面図である。
【図１２】図１１における XII−XII 線断面を示す断面図である。
【図１３】図１１におけるXIII−XIII線断面を示す断面図である。
【図１４】図１１における XIV−XIV 線断面を示す断面図である。
【発明を実施するための形態】
【００２３】
本願発明を実施するための形態は、以下に述べられる本願発明についての実施例をもって説明される。
【実施例】
【００２４】
図１は、本願発明に係るコネクタ装置の一例をそれが取り付けられた配線基板と共に示し、図２（平面図）及び３（正面図）は、本願発明に係るコネクタ装置の一例を示す。
【００２５】
図１〜図３において、本願発明に係るコネクタ装置の一例を成すコネクタ装置１０は、合成樹脂等の絶縁材料によって形成され、電子機器等における、例えば、ソリッド印刷配線基板とされる配線基板１１に固定されるハウジング１２を備えている。ハウジング１２は、相互対向する第１及び第２の平板状部１３及び１４を有しており、第１の平板状部１３と第２の平板状部１４との間に、例えば、フレキシブル印刷配線基板とされる配線板状部材を部分的に収容する板状部材収容部１５（後述される図４〜図６に示されている。）が設けられたものとされている。第１の平板状部１３の端面部分１３ａ及び第２の平板状部１４の端面部分１４ａは、板状部材収容部１５の開口部分１５ａを形成している。そして、ハウジング１２が配線基板１１に固定されるにあたっては、ハウジング１２における第１の平板状部１３が配線基板１１の部品搭載面１１ａに当接もしくは近接して配される。ハウジング１２が、配線基板１１に固定されたときには、コネクタ装置１０の全体が当該配線基板１１に取り付けられたものとされる。
【００２６】
ハウジング１２には、各々が弾性導電板材に打抜き加工が施されて形成された複数の第１のコンタクト１６及び複数の第２のコンタクト１７が、それらの大部分がハウジング１２の長手方向に沿って交互に配列配置されたものとされて、設けられている。そして、複数の第１のコンタクト１６及び複数の第２のコンタクト１７の配列方向（以下、コンタクト配列方向という。）が、ハウジング１２の長手方向と同一方向とされている。
【００２７】
複数の第１のコンタクト１６の夫々は、その大部分がハウジング１２の内部に収容されたものとされているが、図２に示されるように、一端部がハウジング１２における第１の平板状部１３の端面部分１３ａ及び第２の平板状部１４の端面部分１４ａが成す正面側端縁部に対向する背面側端縁部からその外部に突出して接続部１６ａを形成している。また、複数の第２のコンタクト１７の夫々も、その大部分がハウジング１２の内部に収容されたものとされているが、図２に示されるように、一端部がハウジング１２における正面側端縁部からその外部に突出して接続部１７ａを形成している。
【００２８】
第１のコンタクト１６は、コネクタ装置１０の断面を示す図４に示されるように、全体として「エ」字状を成す部材とされている。このような「エ」字状とされた第１のコンタクト１６にあっては、連結部２１によって相互連結された一対のビーム部２２及び２３のうちのビーム部２２がハウジング１２における第１の平板状部１３に取り付けられるとともに、ビーム部２３が連結部２１により支持されてハウジング１２における第２の平板状部１４側に近接して配され、ビーム部２２に対して移動可能とされている。
【００２９】
ビーム部２２にあっては、その一端部に接続部１６ａが形成されており、また、接続部１６ａの近傍部分が、後述されるアクチュエータに係合するアクチュエータ係合部２２ａとされていて、接続部１６ａがハウジング１２における第１の平板状部１３に形成された切欠き部１３ｂに係合することにより、ビーム部２２がハウジング１２における第１の平板状部１３に取り付けられた状態が得られる。一方、ビーム部２３にあっては、ビーム部２２におけるアクチュエータ係合部２２ａに対向する部分が、アクチュエータに係合するアクチュエータ係合部２３ａとされ、また、ビーム部２２の他端部である端部２２ｂに対向する端部２３ｂに、配線板状部材における接続端子部に当接する接触部２３ｃが形成されている。ビーム部２３における接触部２３ｃ側の端部である端部２３ｂは、第１のコンタクト１６の先端部分を形成しており、ハウジング１２における第２の平板状部１４の端面部分１４ａの内側（ハウジング１２の内部側）の位置におかれる。そして、ビーム部２２とビーム部２３との間に形成される空間がハウジング１２に設けられた板状部材収容部１５の一部を成すものとされる。
【００３０】
また、第２のコンタクト１７も、コネクタ装置１０の断面を示す図５に示されるように、全体として「エ」字状を成す部材とされている。このような「エ」字状とされた第２のコンタクト１７にあっては、連結部２５によって相互連結された一対のビーム部２６及び２７のうちのビーム部２６がハウジング１２における第１の平板状部１３に取り付けられるとともに、ビーム部２７が連結部２５により支持されてハウジング１２における第２の平板状部１４側に近接して配され、ビーム部２６に対して移動可能とされている。
【００３１】
ビーム部２６にあっては、その一端部に接続部１７ａが形成されており、また、その他端部がアクチュエータに係合するアクチュエータ係合部２６ａとされていて、接続部１７ａが、ハウジング１２における第１の平板状部１３に形成された切欠き部１３ｃに係合することにより、ビーム部２６がハウジング１２における第１の平板状部１３に取り付けられた状態が得られる。一方、ビーム部２７にあっては、ビーム部２６におけるアクチュエータ係合部２６ａに対向する一端部が、それにアクチュエータが係合するアクチュエータ係合部２７ａとされ、また、ビーム部２６における接続部１７ａよりアクチュエータ係合部２６ａ側に寄った部分に対向する端部２７ｂに、配線板状部材における接続端子部に当接する接触部２７ｃが形成されている。ビーム部２７における接触部２７ｃ側の端部である端部２７ｂは、第２のコンタクト１７の先端部分を形成しており、ハウジング１２における第２の平板状部１４の端面部分１４ａの内側（ハウジング１２の内部側）の位置におかれる。そして、ビーム部２６とビーム部２７との間に形成される空間がハウジング１２に設けられた板状部材収容部１５の一部を成すものとされる。
【００３２】
このようなもとで、複数の第１のコンタクト１６の夫々における接触部２３ｃ及び複数の第２のコンタクト１７の夫々における接触部２７ｃは、各々がハウジング１２における第１の平板状部１３と第２の平板状部１４との間における第２の平板状部１４側に配されて、開口部分１５ａを通じて板状部材収容部１５に差し込まれた配線板状部材における接続端子部に当接するものとされていることになる。
【００３３】
そして、ハウジング１２には、配列配置された複数の第１のコンタクト１６及び複数の第２のコンタクト１７のうちのコンタクト配列方向において隣り合う二つである、複数の第１のコンタクト１６のうちの隣り合う二つ１６Ａ及び１６Ｂの間に配された保護部材３０が設けられている。図１〜図３においては、２個の保護部材３０が、複数の第１のコンタクト１６及び複数の第２のコンタクト１７の配列中において所定の間隔をおいて配置された状態が示されている。
【００３４】
２個の保護部材３０の夫々は、例えば、金属板材に打抜き加工が施されて、全体として板状部材を成すものとして形成され、図７（斜視図）及び図８（側面図）に示されるように、基部３１と、基部３１から伸びる一対の突出片部３２及び３３と、基部３１から突出する圧入突起部３４とを有している。基部３１の一部は、一対の突出片部３２及び３３を相互連結する連結係合部３１ａを形成している。そして、斯かる板状部材を成す保護部材３０は、例えば、図７に示される厚み寸法ｔが複数の第２のコンタクト１７の夫々のコンタクト配列方向における厚み寸法と同一となるように選定される。即ち、保護部材３０のコンタクト配列方向における厚み寸法ｔは、複数の第２のコンタクト１７の夫々のコンタクト配列方向における厚み寸法と同じとされる。
【００３５】
保護部材３０がハウジング１２に設けられたもとにあっては、コネクタ装置１０の断面を示す図６に示されるように、基部３１がハウジング１２における第１の平板状部１３と第２の平板状部１４とにより挟まれて配され、圧入突起部３４がハウジング１２の内部固定部３５に圧入されて、保護部材３０の全体がハウジング１２に固定される。一対の突出片部３２及び３３のうちの突出片部３２は、ハウジング１２における第１の平板状部１３に形成された切欠き１３ｃに係合するものとされ、また、一対の突出片部３２及び３３のうちの突出片部３３は、ハウジング１２における第２の平板状部１４に近接して配されるものとされる。そして、突出片部３２と突出片部３３との間に形成される空間が、ハウジング１２に設けられた板状部材収容部１５の一部を成し、突出片部３２及び突出片部３３は、開口部分１５ａを通じて板状部材収容部１５へと差し込まれた配線板状部材をその厚み方向に挟んで相互対向する状態をとるものとされている。
【００３６】
斯かるもとで、突出片部３２の自由端面部分３２ａ及び突出片部３３の自由端面部分３３ａは、それらのいずれもが、ハウジング１２に設けられた板状部材収容部１５の開口部分１５ａの外部へと突出している。特に、突出片部３３の自由端面部分３３ａは、複数の第１のコンタクト１６の夫々における接触部２３ｃ側の端部２３ｂ及び複数の第２のコンタクト１７の夫々における接触部２７ｃ側の端部２７ｂより板状部材収容部１５の開口部分１５ａの外方側に、さらには、ハウジング１２における第２の平板状部１４の端面部分１４ａより板状部材収容部１５の開口部分１５ａの外方側に、突出した位置をとるものとされている。即ち、保護部材３０における突出片部３３は、ハウジング１２の内部から板状部材収容部１５の開口部分１５ａの外部へと突出し、その自由端面部分３３ａを、複数の第１のコンタクト１６の夫々における接触部２３ｃ側の端部２３ｂの位置及び複数の第２のコンタクト１７の夫々における接触部２７ｃ側の端部２７ｂの位置を越え、さらには、ハウジング１２における第２の平板状部１４の端面部分１４ａの位置を越えて、板状部材収容部１５の開口部分１５ａの外方側に突出した位置をとらせているのである。
【００３７】
図１〜図３に示される２個の保護部材３０の夫々は、複数の第１のコンタクト１６及び複数の第２のコンタクト１７の配列中における、本来第２のコンタクト１７が配されるべき位置に、第２のコンタクト１７に換えて配されている。その際、保護部材３０は、その厚み寸法ｔが第２のコンタクト１７の厚み寸法と同一となるように選定されているので、第２のコンタクト１７から保護部材３０への置換えは極めて容易に行われる。なお、保護部材３０の個数は、２個に限られるものではなく、少なくとも１個あればよく、また、３個以上の複数個がコンタクト配列方向に沿って所定の間隔をおいて配されてもよい。
【００３８】
さらに、ハウジング１２における背面側端縁部側には、コンタクト配列方向、即ち、ハウジング１２の長手方向に沿って伸び、その長手方向がコンタクト配列方向に一致することになるアクチュエータ４０が、ハウジング１２に対して回動可能に設けられている。アクチュエータ４０は、図１〜図６に示されるような、ハウジング１２に対して起き上がった状態におかれるものとされる位置を、第１の静止位置としてとることができ、また、後述される図１１〜図１４に示されるような、ハウジング１２に対して伏した状態におかれるものとされる位置を、第２の静止位置としてとることができて、回動操作されることにより、第１の静止位置から第２の静止位置への移行、あるいは、第２の静止位置から第１の静止位置への移行を行うものとされている。
【００３９】
ハウジング１１に対して回動可能に配されるアクチュエータ４０には、図４及び図５に示されるように、ハウジング１２内において複数の第１のコンタクト１６に夫々係合する複数のカム部４１及び複数の第２のコンタクト１７に夫々係合する複数のカム部４２が設けられている。なお、図６に示されるように、アクチュエータ４０における保護部材３０に対応する部位にもカム部４２’が設けられているが、斯かるカム部４２’は保護部材３０には係合せず、カム部としての役割は果たさない。
【００４０】
複数のカム部４１の夫々は、それに対応する第１のコンタクト１６におけるビーム部２２に設けられたアクチュエータ係合部２２ａとビーム部２３に設けられたアクチュエータ係合部２３ａとにより挟まれており、アクチュエータ４０の回動に伴って回動する。また、複数のカム部４２の夫々は、それに対応する第２のコンタクト１７におけるビーム部２６に設けられたアクチュエータ係合部２６ａとビーム部２７に設けられたアクチュエータ係合部２７ａとにより挟まれており、アクチュエータ４０の回動に伴って回動する。
【００４１】
アクチュエータ４０が、図１〜図６に示されるように、第１の静止位置をとるもとにあっては、図４に示されるように、カム部４１における断面差渡し径が極大となる極大寸法部以外の部分が、対応する第１のコンタクト１６におけるビーム部２２に設けられたアクチュエータ係合部２２ａとビーム部２３に設けられたアクチュエータ係合部２３ａとに当接し、また、図５に示されるように、カム部４２における断面差渡し径が極大となる極大寸法部以外の部分が、対応する第２のコンタクト１７におけるビーム部２６に設けられたアクチュエータ係合部２６ａとビーム部２７に設けられたアクチュエータ係合部２７ａとに当接する。斯かる状況のもとでは、カム部４１に対応する第１のコンタクト１６は、ビーム部２２の端部２２ｂとビーム部２３における接触部２３ｃとが、ハウジング１２内の板状部材収容部１５において形成する相互間間隔を、比較的大なるものに維持するものとされ、同様に、カム部４２に対応する第２のコンタクト１７は、ビーム部２６における接続部１７ａよりアクチュエータ係合部２６ａ側に寄った部分とビーム部２７における接触部２７ｃとが、ハウジング１２内の板状部材収容部１５において形成する相互間間隔を、比較的大なるものに維持するものとされる。
【００４２】
このようなコネクタ装置１０にあっては、アクチュエータ４０が第１の静止位置をとるもとにおいて、図９（斜視図）及び図１０（平面図）に示される配線板状部材を成すフレキシブル印刷配線基板５０が、ハウジング１２に設けられた板状部材収容部１５にその開口部分１５ａを通じて差し込まれて部分的に収容されることになる。その際、フレキシブル印刷配線基板５０は、板状部材収容部１５にその開口部分１５ａを通じて差し込まれるに先立って、図９に示されるように、コネクタ装置１０のハウジング１２に設けられた板状部材収容部１５の開口部分１５ａに対向する位置に配される。
【００４３】
フレキシブル印刷配線基板５０には、端子配置部５１が設けられており、端子配置部５１には、複数の第１の接触端子部５２と複数の第２の接触端子部５３とが、それらの大部分が交互に配置されるようにして、複数の第１の接触端子部５２の配列と複数の第２の接触端子部５３の配列との平行二列を成すものとして配列配置されている。斯かる平行二列にあっては、複数の第１の接触端子部５２の配列が、複数の第２の接触端子部５３の配列より、端子配置部５１における内側に位置するものとされている。そして、フレキシブル印刷配線基板５０がコネクタ装置１０のハウジング１２に設けられた板状部材収容部１５の開口部分１５ａに対向する位置に配される際には、フレキシブル印刷配線基板５０における端子配置部５１が、ハウジング１２における開口部分１５ａに向かうものとされる位置をとる。
【００４４】
また、フレキシブル印刷配線基板５０における端子配置部５１には、配列配置された複数の第１の接触端子部５２及び複数の第２の接触端子部５３のうちの隣り合う二つである、複数の第１の接触端子部５２のうちの隣り合う二つ５２Ａ及び５２Ｂの間となる位置に切欠き部５４が設けられている。図９及び図１０においては、２個の切欠き部５４が、複数の第１の接触端子部５２及び複数の第２の接触端子部５３の配列中において所定の間隔をおいて配置された状況が示されている。
【００４５】
そして、上述のように複数の第１の接触端子部５２と複数の第２の接触端子部５３とが配列配置された端子配置部５１が設けられたフレキシブル印刷配線基板５０が、端子配置部５１を先頭にして、コネクタ装置１０のハウジング１２に設けられた板状部材収容部１５にその開口部分１５ａを通じて差し込まれる。それにより、図１１に示されるように、フレキシブル印刷配線基板５０が、ハウジング１２に形成された開口部分１５ａを通じて板状部材収容部１５に差し込まれ、その端子配置部５１を部分的に板状部材収容部１５内に位置させる態様をもって、板状部材収容部１５に部分的に収容された状態におかれる。
【００４６】
このようにして、フレキシブル印刷配線基板５０がハウジング１２に設けられた板状部材収容部１５に部分的に収容されたもとにあっては、図１２〜図１４に示されるように、フレキシブル印刷配線基板５０の端子配置部５１が、板状部材収容部１５内において、２個の保護部材３０の夫々における突出片部３２と突出片部３３との間，複数の第１のコンタクト１６の夫々におけるビーム部２２の開口部分１５ａ側の部分とビーム部２３の開口部分１５ａ側の部分との間、及び、複数の第２のコンタクト１７の夫々におけるビーム部２６の開口部分１５ａ側の部分とビーム部２７の開口部分１５ａ側の部分との間に配される。フレキシブル印刷配線基板５０の端子配置部５１が保護部材３０における突出片部３２と突出片部３３との間に配される際には、保護部材３０における連結係合部３１ａが、フレキシブル印刷配線基板５０の端子配置部５１に設けられた切欠き部５４に係合する。このような連結係合部３１ａの切欠き部５４との係合は、フレキシブル印刷配線基板５０のハウジング１２に対するコンタクト配列方向における位置決めに貢献する。
【００４７】
その後、アクチュエータ４０が、第１の静止位置から第２の静止位置へとハウジング１２に対して回動せしめられ、図１１〜図１４に示されるように、第２の静止位置をとるものとされると、ハウジング１２に設けられた板状部材収容部１５内に部分的に位置するものとされたフレキシブル印刷配線基板５０の端子配置部５１に、ハウジング１２に配列配置された複数の第１のコンタクト１６及び複数の第２のコンタクト１７が係合する状態がとられる。このようなフレキシブル印刷配線基板５０の端子配置部５１に対する複数の第１のコンタクト１６及び複数の第２のコンタクト１７の係合は、図１３に示されるように、複数の第１のコンタクト１６の夫々におけるビーム部２３に設けられた接触部２３ｃが、フレキシブル印刷配線基板５０の端子配置部５１に配列配置された複数の第１の接続端子部５２（図示が省略されている。）のうちの対応するものに当接するとともに、図１４に示されるように、複数の第２のコンタクト１７の夫々におけるビーム部２７に設けられた接触部２７ｃが、フレキシブル印刷配線基板５０の端子配置部５１に配列配置された複数の第２の接続端子部５３（図示が省略されている。）のうちの対応するものに当接する状態がとられることによりなされる。
【００４８】
斯かる際においては、先ず、アクチュエータ４０が第１の静止位置をとり、ハウジング１２に形成された開口部分１５ａを通じて板状部材差込み部１５に差し込まれたフレキシブル印刷配線基板５０の端子配置部５１が、板状部材収容部１５内において、２個の保護部材３０の夫々における突出片部３２と突出片部３３との間，複数の第１のコンタクト１６の夫々におけるビーム部２２の開口部分１５ａ側の部分とビーム部２３の開口部分１５ａ側の部分との間、及び、複数の第２のコンタクト１７の夫々におけるビーム部２６の開口部分１５ａ側の部分とビーム部２７の開口部分１５ａ側の部分との間に配されたもとにおいて、第１の静止位置をとるアクチュエータ４０が、回動操作されることにより、第１の静止位置から第２の静止位置に移行すべく回動せしめられ、ハウジング１２に対して伏した状態におかれる。それにより、アクチュエータ４０の第１の静止位置から第２の静止位置への移行に伴って、図１３に示されるように、アクチュエータ４０に設けられた複数のカム部４１の夫々が、その極大寸法部を対応する第１のコンタクト１６におけるビーム部２２に設けられたアクチュエータ係合部２２ａとビーム部２３に設けられたアクチュエータ係合部２３ａとの両者に係合させ、また、図１４に示されるように、アクチュエータ４０に設けられた複数のカム部４２の夫々が、その極大寸法部を対応する第２のコンタクト１７におけるビーム部２６に設けられたアクチュエータ係合部２６ａとビーム部２７に設けられたアクチュエータ係合部２７ａとの両者に係合させる。
【００４９】
フレキシブル印刷配線基板５０の端子配置部５１がハウジング１２に設けられた板状部材収容部１５内に部分的に位置するものとされたもとにおいて、第１のコンタクト１６におけるビーム部２２に設けられたアクチュエータ係合部２２ａとビーム部２３に設けられたアクチュエータ係合部２３ａとの両者に係合するカム部４１の極大寸法部は、ビーム部２３に、仮にフレキシブル印刷配線基板５０の端子配置部５１が板状部材収容部１５に収容されていないとすれば、ビーム部２２の端部２２ｂとビーム部２３における接触部２３ｃとが板状部材収容部１５内において形成する相互間間隔を狭めるように変位させることになる応力を作用させ、それにより、ビーム部２３は、その接触部２３ｃが板状部材収容部１５に部分的に収容されたフレキシブル印刷配線基板５０の端子配置部５１に配列配置された複数の第１の接続端子部５２のうちの対応するものに当接する状態におかれる。同様に、フレキシブル印刷配線基板５０の端子配置部５１がハウジング１２に設けられた板状部材収容部１５内に部分的に位置するものとされたもとにおいて、第２のコンタクト１７におけるビーム部２６に設けられたアクチュエータ係合部２６ａとビーム部２７に設けられたアクチュエータ係合部２７ａとの両者に係合するカム部４２の極大寸法部は、ビーム部２７に、仮にフレキシブル印刷配線基板５０の端子配置部５１が板状部材収容部１５に収容されていないとすれば、ビーム部２６における接続部１７ａよりアクチュエータ係合部２６ａ側に寄った部分とビーム部２７における接触部２７ｃとが板状部材収容部１５内において形成する相互間間隔を狭めるように変位させることになる応力を作用させ、それにより、ビーム部２７は、その接触部２７ｃが板状部材収容部１５に部分的に収容されたフレキシブル印刷配線基板５０の端子配置部５１に配列配置された複数の第２の接続端子部５３のうちの対応するものに当接する状態におかれる。その結果、板状部材収容部１５に部分的に収容されたフレキシブル印刷配線基板５０の端子配置部５１に配列配置された複数の第１の接続端子部５２及び複数の第２の接続端子部５３の夫々が、対応する第１のコンタクト１６及び対応する第２のコンタクト１７を通じて、ハウジング１２が配された配線基板１１の部品搭載面１１ａに設けられた配線部における端子部に電気的に接続されることになる。
【００５０】
上述のように、フレキシブル印刷配線基板５０の端子配置部５１は、ハウジング１２に設けられた板状部材収容部１５に差し込まれて板状部材収容部１５内に部分的に位置する状態におかれるが、斯かる状態の直前におけるフレキシブル印刷配線基板５０の端子配置部５１がハウジング１２に設けられた板状部材収容部１５への差込み途中にあるもとにおいて、あるいは、フレキシブル印刷配線基板５０の端子配置部５１がハウジング１２に設けられた板状部材収容部１５に差し込まれて部分的に収容されたもとにおいて、フレキシブル印刷配線基板５０におけるハウジング１２外に配された部分に、当該部分をハウジング１２が固定された配線基板１１から遠ざかる方向に変位させようとする外力が作用すると、フレキシブル印刷配線基板５０におけるハウジング１２外に配された部分に、ハウジング１２が固定された配線基板１１から遠ざかる方向への反りあるいは折れ曲がり、換言すれば、ハウジング１２における第２の平板状部１４の外側に向かう変位変形、を生じる事態がもたらされる。斯かる際において、ハウジング１２にあっては、それに設けられた２個の保護部材３０の夫々が、ハウジング１２に形成された開口部分１５ａを通じて板状部材収容部１５に差し込まれたフレキシブル印刷配線基板５０の端子配置部５１をその厚み方向に挟んで相互対向する一対の突出片部３２及び３３を有していて、斯かる一対の突出片部３２及び３３のうちの一方である突出片部３３がハウジング１２の第２の平板状部１４に近接して配され、その自由端面部分３３ａが、図４〜図６に示される如く、複数の第１のコンタクト１６の夫々におけるビーム部２３の接触部２３ｃ側の端部２３ｂ及び複数の第２のコンタクト１７の夫々におけるビーム部２７の接触部２７ｃ側の端部２７ｂより板状部材収容部１５の開口部分１５ａの外方側に、さらには、ハウジング１２における第２の平板状部１４の端面部分１４ａより板状部材収容部１５の開口部分１５ａの外方側に、突出した位置をとるものとされている。
【００５１】
それにより、端子配置部５１がハウジング１２に設けられた板状部材収容部１５への差込み途中にあるフレキシブル印刷配線基板５０、あるいは、端子配置部５１が板状部材収容部１５に差し込まれて部分的に収容されたフレキシブル印刷配線基板５０における、上述のような、ハウジング１２が固定された配線基板１１から遠ざかる方向への反りあるいは折れ曲がりを生じたハウジング１２外に配されている部分は、複数の第１のコンタクト１６の夫々におけるビーム部２３の接触部２３ｃ側の端部２３ｂ及び複数の第２のコンタクト１７の夫々におけるビーム部２７の接触部２７ｃ側の端部２７ｂより板状部材収容部１５の開口部分１５ａの外方側、さらには、ハウジング１２における第２の平板状部１４の端面部分１４ａより板状部材収容部１５の開口部分１５ａの外方側に突出している、保護部材３０における一対の突出片部３２及び３３のうちの一方である突出片部３３の自由端面部分３３ａに当接して、その保護部材３０における突出片部３３に押圧力を作用させるが、複数の第１のコンタクト１６の夫々におけるビーム部２３の接触部２３ｃが設けられた端部２３ｂ、あるいは、複数の第２のコンタクト１７の夫々におけるビーム部２７の接触部２７ｃが設けられた端部２７ｂに当接することはない。その結果、前述のような反りあるいは折れ曲がりを生じたフレキシブル印刷配線基板５０におけるハウジング１２外に配された部分が、複数の第１のコンタクト１６の夫々における接触部２３ｃが設けられた先端部分、あるいは、複数の第２のコンタクト１７の夫々における接触部２７ｃが設けられた先端部分に当接してそれに押圧力を及ぼし、当該第１のコンタクト１６あるいは第２のコンタクト１７に不所望な変形を生じさせる事態は生じない。
【００５２】
このような保護部材３０による作用効果は、ハウジング１２に、１個の保護部材３０が設けられる場合、あるいは、３個以上の保護部材３０がコンタクト配列方向に沿って所定の間隔をおいて配される場合においても、上述の２個の保護部材３０が設けられる場合と同様に得られる。
【００５３】
さらに、フレキシブル印刷配線基板５０の端子配置部５１がハウジング１２に設けられた板状部材収容部１５に差し込まれて板状部材収容部１５内に部分的に位置するもとにおいては、突出片部３２と突出片部３３との間にフレキシブル印刷配線基板５０の端子配置部５１が配された保護部材３０における連結係合部３１ａが、フレキシブル印刷配線基板５０の端子配置部５１に設けられた切欠き部５４に係合し、それにより、フレキシブル印刷配線基板５０のハウジング１２に対するコンタクト配列方向における位置決めが行われることにより、フレキシブル印刷配線基板５０の端子配置部５１にコンタクト配列方向に沿う方向の外力が加えられたときにも、フレキシブル印刷配線基板５０の端子配置部５１についての、それに配列配置された複数の第１の接続端子部５２及び複数の第２の接続端子部５３の夫々が対応する第１のコンタクト１６における接触部２３ｃ及び第２のコンタクト１７における接触部２７ｃに対する位置ずれを生じることになる変位もしくは変形が抑制される。
【００５４】
上述の本願発明に係るコネクタ装置の一例を成すコネクタ装置１０によれば、配線板状部材を成すフレキシブル印刷配線基板５０のハウジング１２に設けられた板状部材収容部１５への差込みが適正に行われるとともに、ハウジング１２に配列配置された複数の第１のコンタクト１６の夫々における接触部２３ｃ及びハウジング１２に配列配置された複数の第２のコンタクト１７の夫々における接触部２７ｃの、フレキシブル印刷配線基板５０に配列配置された複数の第１の接触端子部５２及び複数の第２の接触端子部５３に対する当接が確実に行われる状態を得ることができ、しかも、ハウジング１２に設けられた板状部材収容部１５への差込み途中にあるフレキシブル印刷配線基板５０、あるいは、板状部材収容部１５に差し込まれて部分的に収容されたフレキシブル印刷配線基板５０におけるハウジング１２外に配された部分に、当該部分をハウジング１２が固定された配線基板１１から遠ざかる方向に変位させようとする外力が作用したときにおいても、フレキシブル印刷配線基板５０におけるハウジング１２外に配された部分が複数の第１のコンタクト１６及び複数の第２のコンタクト１７の夫々に押圧力を作用させて第１のコンタクト１６及び第２のコンタクト１７が斯かる押圧力に起因する不所望な変形を生じ、それにより複数の第１のコンタクト１６の夫々における接触部２３ｃ及び複数の第２のコンタクト１７の夫々における接触部２７が板状部材収容部１５に差し込まれたフレキシブル印刷配線基板５０に当接する状態が適正に得られなくなってしまう事態を確実に回避することができることになる。
【産業上の利用可能性】
【００５５】
以上のような本願発明に係るコネクタ装置は、板状部材収容部が設けられて配線基板に固定されるハウジングと、ハウジングに配列配置されて設けられ、各々が板状部材収容部に差し込まれた配線板状部材における接触端子部に当接する接触部と配線基板に設けられた接続端子部に接続される接続部とを有したものとされる複数のコンタクトとを備えたコネクタ装置であって、ハウジングに設けられ板状部材収容部への差込み途中にある配線板状部材、あるいは、板状部材収容部に差し込まれて板状部材収容部に部分的に収容された配線板状部材におけるハウジング外に配された部分に、当該部分をハウジングが配された配線基板から遠ざかる方向に変位させようとする外力が作用したときにおいても、配線板状部材におけるハウジング外に配された部分が複数のコンタクトの夫々に押圧力を作用させてコンタクトが斯かる押圧力に起因する不所望な変形を生じることになる事態を確実に回避することができるものとして、様々な電子機器等に広く適用され得るものである。
【符号の説明】
【００５６】
１０・・・コネクタ装置，  １１・・・配線基板，  １１ａ・・・部品搭載面，  １２・・・ハウジング，  １３・・・第１の平板状部，  １３ａ，１４ａ・・・端面部分，    １４・・・第２の平板状部，  １５・・・板状部材収容部，  １５ａ・・・開口部分，  １６・・・第１のコンタクト，  １６ａ，１７ａ・・・接続部，  １７・・・第２のコンタクト，  ２１，２５・・・連結部，  ２２，２３，２６，２７・・・ビーム部，  ２２ａ，２３ａ，２６ａ，２７ａ・・・アクチュエータ係合部，  ２２ｂ，２３ｂ，２６ｂ，２７ｂ・・・端部，  ２３ｃ，２７ｃ・・・接触部，  ３０・・・保護部材，  ３１・・・基部，  ３１ａ・・・連結係合部，  ３２，３３・・・突出片部，  ３２ａ，３３ａ・・・自由端面部分，  ３４・・・圧入突起部，  ４０・・・アクチュエータ，  ４１，４２，４２’・・・カム部，  ５０・・・フレキシブル印刷配線基板，  ５１・・・端子配置部，  ５２・・・第１の接触端子部，  ５３・・・第２の接触端子部，  ５４・・・切欠き部
【図１】
2018022601.tif 000003
【図２】
2018022601.tif 000004
【図３】
2018022601.tif 000005
【図４】
2018022601.tif 000006
【図５】
2018022601.tif 000007
【図６】
2018022601.tif 000008
【図７】
2018022601.tif 000009
【図８】
2018022601.tif 000010
【図９】
2018022601.tif 000011
【図１０】
2018022601.tif 000012
【図１１】
2018022601.tif 000013
【図１２】
2018022601.tif 000014
【図１３】
2018022601.tif 000015
【図１４】
2018022601.tif 000016